【手続補正書】
【提出日】平成21年2月12日(2009.2.12)
【手続補正１】
【補正対象書類名】特許請求の範囲
【補正対象項目名】全文
【補正方法】変更
【補正の内容】
【特許請求の範囲】
【請求項１】
物品のためのセキュリティ機器（２）であって、
磁気的に作動可能なロック機構（１０，９１０）と、
ケーブル（９２２，１２２２）と、
前記磁気的に作動可能なロック機構（１０，９１０）とケーブル（９２２，１２２２）とが固着されている筐体（３０，９３０，１２３０）と、
を具備し、
前記磁気的に作動可能なロック機構（１０，９１０）は、磁気的に作動可能なラッチ（１２，９１２）と、可撓性要素（１６，９１６）と、ラッチ噛み合わせ要素（１８，９１８）とを具備し、
前記磁気的に作動可能なラッチ（１２，９１２）は、少なくとも１つの磁性材料により形成され、前記磁気的に作動可能なラッチ（１２，９１２）上に一体的にラッチ部分（１４）が形成され、前記ラッチ部分（１４）は前記ラッチ噛み合わせ要素（１８，９１８）と噛み合うことを特徴とするセキュリティ機器（２）。
【請求項２】
前記可撓性要素（１６，９１６）と前記磁気的に作動可能なラッチ（１２，９１２）とが結合して単一の部分品となっていることを特徴とする、請求項１に記載のセキュリティ機器（２）。
【請求項３】
前記筐体（３０，９３０，１２３０）に固着された第２のケーブル（９２２，１２２２）をさらに具備することを特徴とする、請求項１に記載のセキュリティ機器。
【請求項４】
第２の磁気的に作動可能なロック機構（１０，９１０）をさらに具備することを特徴とする、請求項１に記載のセキュリティ機器。
【請求項５】
前記磁気的に作動可能なラッチ（１２，９１２）はロック位置にある前記ケーブル（９２２，１２２２）と噛み合い、前記セキュリティ機器（２）は第２のケーブル（９２２，１２２２）と、第２のロック位置において前記第２のケーブル（９２２，１２２２）と噛み合う第２の磁気的に作動可能なラッチ（１２，９１２）を具備する第２の磁気的に作動可能なロック機構（１０，９１０）とをさらに具備することを特徴とする、請求項１に記載のセキュリティ機器。
【請求項６】
前記筐体（３０，９３０，１２３０）はチャネル（９６４）をさらに具備し、前記磁気的に作動可能なラッチ（１２，９１２）および可撓性要素（１６，９１６）は少なくとも部分的に前記チャネル（９６４）に配置されることを特徴とする、請求項１に記載のセキュリティ機器。
【請求項７】
前記ケーブル（９２２，１２２２）は前記ラッチ噛み合わせ要素（１８）を具備することを特徴とする、請求項１に記載のセキュリティ機器。
【請求項８】
前記ラッチ噛み合わせ要素（１８，９１８）は少なくとも１つのくぼみ部分（９９０，１２９０）を具備することを特徴とする、請求項１に記載のセキュリティ機器。
【請求項９】
前記可撓性要素（１６，９１６）は、前記磁気的に作動可能なラッチ（１２，９１２）に隣接して位置し、前記磁気的に作動可能なラッチ（１２，９１２）の少なくとも一部分が前記くぼみ部分（９９０，１２９０）の中に伸びているロック位置に向かって前記磁気的に作動可能なラッチ（１２，９１２）を付勢することを特徴とする、請求項８に記載のセキュリティ機器。
【請求項１０】
前記ラッチ噛み合わせ要素（９１８，１２１８）は少なくとも１つのリブ（９９２）を具備することを特徴とする、請求項１のセキュリティ機器。
【請求項１１】
前記磁気的に作動可能なラッチ（１２，９１２）は前記ロック位置にあるときに、前記少なくとも１つのリブ（９９２）が前記磁気的に作動可能なラッチ（１２，９１２）と噛み合うことを特徴とする、請求項１０に記載のセキュリティ機器。
【請求項１２】
前記磁気的に作動可能なラッチ（１２，９１２）は、前記ラッチ噛み合わせ要素（１８，９１８）と噛み合うための少なくとも１つの突起（９８０）を具備することを特徴とする、請求項１に記載のセキュリティ機器。
【請求項１３】
前記ラッチ噛み合わせ要素（１８，９１８）は少なくとも１つのくぼみ部分（９９０，１２９０）を具備し、前記少なくとも１つの突起（９８０）は、前記少なくとも１つのくぼみ部分（９９０，１２９０）と噛み合うことによって、前記ラッチ噛み合わせ要素（１８，９１８）と噛み合うことを特徴とする、請求項１２に記載のセキュリティ機器。
【請求項１４】
前記ラッチ噛み合わせ要素（１８，９１８）は貫入可能な材料を具備することを特徴とする、請求項１に記載のセキュリティ機器。
【請求項１５】
前記磁気的に作動可能なラッチ（１２，９１２）は前記可撓性要素（１６，９１６）と前記ラッチ噛み合わせ要素（１８，９１８）との間に位置することを特徴とする、請求項１に記載のセキュリティ機器。
【請求項１６】
セキュリティタグ（２０）をさらに具備することを特徴とする、請求項１に記載のセキュリティ機器。
【請求項１７】
前記セキュリティタグ（２０）は前記筐体（３０，９３０，１２３０）内に封入されていることを特徴とする、請求項１６に記載のセキュリティ機器。
【請求項１８】
前記ケーブルに固着するためのセキュリティタグ（２０）筐体を具備し、前記セキュリティタグ筐体（３０，９３０，１２３０）は前記セキュリティタグ（２０）を封入していることを特徴する、請求項１６に記載のセキュリティ機器。
【請求項１９】
前記ケーブル（９２２，１２２２）は平ひもであることを特徴とする、請求項１に記載のセキュリティ機器。
【請求項２０】
前記ケーブル（９２２，１２２２）は金属製の内部とプラスチック製の外部を具備することを特徴とする、請求項１に記載のセキュリティ機器。
【請求項２１】
前記ケーブル（９２２，１２２２）は補強されていることを特徴とする、請求項２０に記載のセキュリティ機器。
【請求項２２】
前記金属は数珠繋ぎ状であることを特徴とする、請求項２０に記載のセキュリティタグ。
【請求項２３】
前記金属は撚り線状であることを特徴とする、請求項２０に記載のセキュリティタグ。
【請求項２４】
前記物品は閉ループを具備し、前記ケーブル（９２２，１２２２）は前記閉ループを前記筐体（３０，９３０，１２３０）に固着することを特徴とする、請求項１に記載のセキュリティタグ。
【請求項２５】
前記磁気的に作動可能なラッチ（１２，９１２）は、磁力によって前記ロック位置から離すことができることを特徴とする、請求項１に記載のロック機構。
【請求項２６】
前記磁気的に作動可能なラッチ（１２，９１２）は、実質的に直線方向に動かすことができることを特徴とする、請求項２５に記載のロック機構。
【請求項２７】
前記磁気的に作動可能なラッチ（１２，９１２）は、実質的に回転方向に動かすことができることを特徴とする、請求項２５に記載のロック機構。
【請求項２８】
前記磁気的に作動可能なラッチ（１２，９１２）は、回転方向と直線方向とが組み合わされた方向に動かすことができることを特徴とする、請求項２５に記載のロック機構。
【請求項２９】
前記ケーブル（９２２，１２２２）および筐体（３０，９３０，１２３０）はともに閉ループを具備することを特徴とする、請求項１に記載のセキュリティタグ。
【請求項３０】
前記セキュリティ機器（２）は再利用可能であることを特徴とする、請求項１に記載のセキュリティ機器。
【請求項３１】
前記セキュリティ機器（２）は使い捨て用であることを特徴とする、請求項１に記載のセキュリティ機器。
【請求項３２】
前記セキュリティ機器（２）はリセット可能であることを特徴とする、請求項１に記載のセキュリティ機器。
【請求項３３】
前記磁気的に作動可能なラッチ（１２，９１２）は前記ロック位置にあるとき、相対的に反対方向への前記ケーブル（９２２，１２２２）の動きには抵抗することを特徴とする、請求項９に記載のセキュリティ機器。